(57)【要約】【課題】ストレージの利用効率を向上させ、記録可能なコンテンツ量を増やす。【解決手段】記録する番組コンテンツ１００を、ユーザーが視聴を希望するシーンを含む部分１０５，１０８と、視聴を希望するシーンを含まない部分１０４，１０６，１０７，１０９とに区別し、ユーザーが視聴を希望するシーンを含まない部分１０４，１０６，１０７，１０９については、記録ビットレートを下げて、番組コンテンツ１００ａを再構成する。これにより、記録する番組コンテンツ１００ａ全体での記録サイズを下げ、コンテンツ記録装置に、より多くのコンテンツが記録できるようにする。【選択図】        図３
2004328125.tif 000002
【特許請求の範囲】
【請求項１】
テレビジョン信号として与えられる番組コンテンツを記録するコンテンツ記録装置であって、
前記番組コンテンツ内の所望の視聴希望シーンを指定するための指定情報をユーザーが入力するための入力手段と、
前記番組コンテンツ内の各シーンが、前記入力手段で入力された前記指定情報に対応する視聴希望シーンであるか否かを判定する視聴希望シーン判定手段と、
前記番組コンテンツを複数の分割番組コンテンツに分割するタイミングを設定するコンテンツ分割設定手段と、
前記視聴希望シーン判定手段の判定結果に基づき、前記コンテンツ分割設定手段で設定されたタイミングで分割された前記分割番組コンテンツ毎に、所定の蓄積媒体への記録方式を決定する記録方式決定手段と、
前記記録方式決定手段で決定された記録方式の前記分割番組コンテンツを連結して、１個の番組コンテンツに再構成するコンテンツ再構成手段とを備えるコンテンツ記録装置。
【請求項２】
請求項１に記載のコンテンツ記録装置であって、
前記視聴希望シーン設定手段で入力される前記指定情報が、前記視聴希望シーンに関わる１個以上の単語であり、
前記視聴希望シーン判定手段が、前記テレビジョン信号に重畳されている文字情報から、前記視聴希望シーン設定手段で入力された前記単語を検索し、該単語が含まれるシーンを前記視聴希望シーンであると判定することを特徴とする、コンテンツ記録装置。
【請求項３】
請求項１または請求項２に記載のコンテンツ記録装置であって、
前記コンテンツ分割設定手段が、前記番組コンテンツ中のシーン変化点を抽出するシーン変化点検出手段であり、
当該シーン変化点検出手段が、前記シーン変化点を区切りとして前記番組コンテンツを分割するよう設定する、コンテンツ記録装置。
【請求項４】
請求項１または請求項２に記載のコンテンツ記録装置であって、
前記コンテンツ分割設定手段が、一定の時間間隔毎に区切って前記番組コンテンツを分割するよう設定する、コンテンツ記録装置。
【請求項５】
請求項１または請求項２に記載のコンテンツ記録装置であって、
前記コンテンツ分割設定手段が、前記視聴希望シーン判定手段により前記視聴希望シーンだと判定されたシーンから、予め設定された時間だけ前後に離れた点を区切りとして、前記番組コンテンツを分割するよう設定する、コンテンツ記録装置。
【請求項６】
請求項１ないし請求項５のいずれかに記載のコンテンツ記録装置であって、
前記記録方式決定手段が、前記視聴希望シーン判定手段の判定結果に基づき、前記各分割番組コンテンツ毎に、前記視聴希望シーンを含む場合に記録ビットレートの高い高品位な分割番組コンテンツとする一方、前記視聴希望シーンを含まない場合に記録ビットレートの低い低品位な分割番組コンテンツとして、前記蓄積媒体への記録方式を決定する、コンテンツ記録装置。
【請求項７】
請求項６に記載のコンテンツ記録装置であって、
前記記録方式決定手段が、全ての前記分割番組コンテンツを高品位な記録方式で所定の一時記録手段に記録し、前記視聴希望シーン判定手段の判定結果に基づき、前記一時記録手段内の高品位な前記分割番組コンテンツの中から、前記視聴希望シーンを含まない分割番組コンテンツのみをビットレート変換により低品位コンテンツに変換する、コンテンツ記録装置。
【請求項８】
請求項６に記載のコンテンツ記録装置であって、
前記記録方式決定手段が、全ての前記分割番組コンテンツを、高品位な記録方式の分割番組コンテンツと低品位な記録方式の分割番組コンテンツとしてそれぞれ所定の一時記録手段に記録した後に、前記視聴希望シーン判定手段の判定結果に基づき、前記各分割番組コンテンツが前記視聴希望シーンを含む場合に高品位な記録方式の分割番組コンテンツを選択し、前記各分割番組コンテンツが前記視聴希望シーンを含まない場合に低品位な記録方式の分割番組コンテンツを選択する、コンテンツ記録装置。
【請求項９】
テレビジョン信号として与えられる番組コンテンツを記録するコンテンツ記録方法であって、
前記番組コンテンツ内の所望の視聴希望シーンを指定するための指定情報をユーザーが所定の入力手段を用いて入力する第１の工程と、
前記番組コンテンツ内の各シーンが、前記入力手段で入力された前記指定情報に対応する視聴希望シーンであるか否かを判定する第２の工程と、
前記番組コンテンツを複数の分割番組コンテンツに分割するタイミングを設定する第３の工程と、
前記第２の工程での判定結果に基づき、前記第３の工程で設定されたタイミングで分割された前記分割番組コンテンツ毎に、所定の蓄積媒体への記録方式を決定する第４の工程と、
前記第４の工程で決定された記録方式の前記分割番組コンテンツを連結して、１個の番組コンテンツに再構成する第５の工程と、を備えるコンテンツ記録方法。
【請求項１０】
請求項９に記載のコンテンツ記録方法であって、
前記第１の工程で入力される前記指定情報が、前記視聴希望シーンに関わる１個以上の単語であり、
前記第２の工程において、前記テレビジョン信号に重畳されている文字情報から、前記第１の工程で入力された前記単語を検索し、該単語が含まれるシーンを前記視聴希望シーンであると判定する、コンテンツ記録方法。
【請求項１１】
請求項９または請求項１０に記載のコンテンツ記録方法であって、
前記第３の工程において、前記番組コンテンツ中のシーン変化点を抽出し、当該シーン変化点を区切りとして前記番組コンテンツを分割するよう設定する、コンテンツ記録方法。
【請求項１２】
請求項９または請求項１０に記載のコンテンツ記録方法であって、
前記第３の工程において、一定の時間間隔毎に区切って前記番組コンテンツを分割するよう設定する、コンテンツ記録方法。
【請求項１３】
請求項９または請求項１０に記載のコンテンツ記録方法であって、
前記第３の工程において、前記第２の工程で前記視聴希望シーンだと判定されたシーンから、予め設定された時間だけ前後に離れた点を区切りとして、前記番組コンテンツを分割するよう設定する、コンテンツ記録方法。
【請求項１４】
請求項９ないし請求項１３のいずれかに記載のコンテンツ記録方法であって、
前記第４の工程において、前記第２の工程での判定結果に基づき、前記各分割番組コンテンツ毎に、前記視聴希望シーンを含む場合に記録ビットレートの高い高品位な分割番組コンテンツとする一方、前記視聴希望シーンを含まない場合に記録ビットレートの低い低品位な分割番組コンテンツとして、前記蓄積媒体への記録方式を決定する、コンテンツ記録方法。
【請求項１５】
請求項１４に記載のコンテンツ記録方法であって、
前記第４の工程において、全ての前記分割番組コンテンツを高品位な記録方式で所定の一時記録手段に記録し、前記第２の工程での判定結果に基づき、前記一時記録手段内の高品位な前記分割番組コンテンツの中から、前記視聴希望シーンを含まない分割番組コンテンツのみをビットレート変換により低品位コンテンツに変換する、コンテンツ記録方法。
【請求項１６】
請求項１４に記載のコンテンツ記録方法であって、
前記第４の工程において、全ての前記分割番組コンテンツを、高品位な記録方式の分割番組コンテンツと低品位な記録方式の分割番組コンテンツとしてそれぞれ所定の一時記録手段に記録した後に、前記第２の工程での判定結果に基づき、前記各分割番組コンテンツが前記視聴希望シーンを含む場合に高品位な記録方式の分割番組コンテンツを選択し、前記各分割番組コンテンツが前記視聴希望シーンを含まない場合に低品位な記録方式の分割番組コンテンツを選択する、コンテンツ記録方法。
【発明の詳細な説明】
【０００１】
【発明の属する技術分野】
この発明は、テレビジョン放送の番組コンテンツを記録するコンテンツ記録装置及びコンテンツ記録方法に関する。
【０００２】
【従来の技術】
近年、ＤＶＤ（Ｄｉｇｉｔａｌ  Ｖｉｄｅｏ  Ｄｉｓｃ）レコーダーやＨＤＤ（Ｈａｒｄ  Ｄｉｓｃ  Ｄｒｉｖｅ）レコーダーのような、データの記録と消去が容易なランダムアクセス機能を持ったコンテンツ記録機器が開発されている。このような機器でテレビジョン放送を記録する場合には、容易に記録と消去が可能な特性を活かして、番組のジャンル属性などを利用してユーザーの嗜好に合う番組を自動的に記録しておき、記録された番組の中からユーザーが視聴したい部分だけを再生し、ユーザーが再生不要と判断した番組は消去するというような使用方法が提案されてきた。
【０００３】
しかしながら、コンテンツ記録機器の容量は有限であるため、放送されている全ての番組を記録することは難しい。このため、ユーザーが視聴を希望する番組を優先的に記録することによって、有限であるコンテンツ記録機器の容量を効率的に使用する方法が提案されてきた。
【０００４】
例えば、後述の特許文献１におけるコンテンツ記録機器は、テレビジョン放送信号に重畳されている文字情報を利用して、ユーザーが視聴を希望する番組やシーンを判定する。ユーザーは視聴を希望する番組やシーンでセリフとして使用されそうな言葉をキーワードとして予め設定しておく。このコンテンツ記録機器はテレビジョン放送に重畳されている文字情報を監視し、前記文字情報中に前記設定したキーワードが現れた場合に、そのシーンをユーザーが視聴希望するシーンだと判定し、このシーンが含まれる番組の記録を行う。
【０００５】
ここで、アナログテレビジョン放送信号に重畳されている文字情報は、クローズドキャプション情報や字幕情報がある。米国や日本のテレビジョン放送で用いられるＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）方式では、映像信号に５２５本の走査線を用意しており、この５２５本のうち、各フィールド（２フィールドで１フレームを構成）の最初の２１本相当のタイミングは、走査を開始するためのインターバル用に割り当てられており、これを垂直帰線消去期間（ＶＢＩ：Ｖｅｒｔｉｃａｌ  Ｂｌａｎｋｉｎｇ  Ｉｎｔｅｒｖａｌ）と呼ぶ。クローズドキャプションや字幕は、各フィールドの垂直帰線消去期間の２１本目に文字コードを多重化することによって伝送される。このため、クローズドキャプション情報や字幕情報は、それらの情報が格納されるフィールドに含まれる映像信号と音声信号に同期することとなる。このため、クローズドキャプション情報や字幕情報中に存在する単語を指定すれば、その単語が番組中で使用されているシーンを検索することができる。
【０００６】
一方、デジタルテレビジョン放送信号では、ＭＰＥＧ−ＴＳ（Ｍｏｖｉｎｇ  Ｐｉｃｔｕｒｅ  Ｅｘｐｅｒｔ  Ｇｒｏｕｐ−Ｔｒａｎｓｐｏｒｔ  Ｓｔｒｅａｍ）形式で記録されており、クローズドキャプション情報や字幕情報は、映像信号中のフィールドやフレーム毎に存在するユーザーデータと呼ばれる領域に記録する場合がある。この場合には、前述のアナログテレビジョン放送の場合と同様に、クローズドキャプション情報や字幕情報が、それらの情報が格納されるフィールドやフレームに含まれる映像信号と音声信号に同期することとなる。
【０００７】
また、デジタルテレビジョン放送信号では、クローズドキャプション情報や字幕情報が、映像データや音声データとは独立したデータとして伝送される場合もある。この場合も、クローズドキャプション情報や字幕情報は、同時に再生すべき映像信号と音声信号と同じタイミングで伝送されてくるか、若しくはクローズドキャプション情報や字幕情報の表示を行う時刻情報が与えられているため、前述のアナログテレビジョン放送の場合と同様に、クローズドキャプション情報や字幕情報が、それらの情報が格納されるフィールドやフレームに含まれる映像信号と音声信号に同期することとなる。
【０００８】
【特許文献１】
特開平１０−２８５５２８号公報
【０００９】
【発明が解決しようとする課題】
前述の特許文献１における従来のコンテンツ記録装置は、ユーザーが視聴を希望するシーンを含む番組のみを選択し記録することが可能ではあるが、記録番組中のユーザーが視聴を希望する部分と同様に、ユーザーが視聴を希望せず再生されない可能性の高い部分も、区別することなく記録していた。
【００１０】
コンテンツ記録装置の目的が、ユーザーの視聴希望シーンを記録することであるとすれば、記録番組中のユーザーが視聴を希望する部分ではなく再生されない可能性の高い部分を、ユーザーが視聴を希望する部分と同様に記録することは、コンテンツ記録装置の記録容量の利用効率からは好ましくない。
【００１１】
そこで、この発明の課題は、記録番組中のユーザーが視聴を希望する部分と、ユーザーが視聴を希望する部分ではなく再生されない可能性の高い部分とを区別し、記録容量の利用効率の高いコンテンツ記録装置及びそれに関連する技術を提供することにある。
【００１２】
【課題を解決するための手段】
上記課題を解決すべく、請求項１に記載の発明は、テレビジョン信号として与えられる番組コンテンツを記録するコンテンツ記録装置であって、前記番組コンテンツ内の所望の視聴希望シーンを指定するための指定情報をユーザーが入力するための入力手段と、前記番組コンテンツ内の各シーンが、前記入力手段で入力された前記指定情報に対応する視聴希望シーンであるか否かを判定する視聴希望シーン判定手段と、前記番組コンテンツを複数の分割番組コンテンツに分割するタイミングを設定するコンテンツ分割設定手段と、前記視聴希望シーン判定手段の判定結果に基づき、前記コンテンツ分割設定手段で設定されたタイミングで分割された前記分割番組コンテンツ毎に、所定の蓄積媒体への記録方式を決定する記録方式決定手段と、前記記録方式決定手段で決定された記録方式の前記分割番組コンテンツを連結して、１個の番組コンテンツに再構成するコンテンツ再構成手段とを備えるものである。
【００１３】
請求項２に記載の発明は、請求項１に記載のコンテンツ記録装置であって、前記視聴希望シーン設定手段で入力される前記指定情報が、前記視聴希望シーンに関わる１個以上の単語であり、前記視聴希望シーン判定手段が、前記テレビジョン信号に重畳されている文字情報から、前記視聴希望シーン設定手段で入力された前記単語を検索し、該単語が含まれるシーンを前記視聴希望シーンであると判定するものである。
【００１４】
請求項３に記載の発明は、請求項１または請求項２に記載のコンテンツ記録装置であって、前記コンテンツ分割設定手段が、前記番組コンテンツ中のシーン変化点を抽出するシーン変化点検出手段であり、当該シーン変化点検出手段が、前記シーン変化点を区切りとして前記番組コンテンツを分割するよう設定するものである。
【００１５】
請求項４に記載の発明は、請求項１または請求項２に記載のコンテンツ記録装置であって、前記コンテンツ分割設定手段が、一定の時間間隔毎に区切って前記番組コンテンツを分割するよう設定するものである。
【００１６】
請求項５に記載の発明は、請求項１または請求項２に記載のコンテンツ記録装置であって、前記コンテンツ分割設定手段が、前記視聴希望シーン判定手段により前記視聴希望シーンだと判定されたシーンから、予め設定された時間だけ前後に離れた点を区切りとして、前記番組コンテンツを分割するよう設定するものである。
【００１７】
請求項６に記載の発明は、請求項１ないし請求項５のいずれかに記載のコンテンツ記録装置であって、前記記録方式決定手段が、前記視聴希望シーン判定手段の判定結果に基づき、前記各分割番組コンテンツ毎に、前記視聴希望シーンを含む場合に記録ビットレートの高い高品位な分割番組コンテンツとする一方、前記視聴希望シーンを含まない場合に記録ビットレートの低い低品位な分割番組コンテンツとして、前記蓄積媒体への記録方式を決定するものである。
【００１８】
請求項７に記載の発明は、請求項６に記載のコンテンツ記録装置であって、前記記録方式決定手段が、全ての前記分割番組コンテンツを高品位な記録方式で所定の一時記録手段に記録し、前記視聴希望シーン判定手段の判定結果に基づき、前記一時記録手段内の高品位な前記分割番組コンテンツの中から、前記視聴希望シーンを含まない分割番組コンテンツのみをビットレート変換により低品位コンテンツに変換するものである。
【００１９】
請求項８に記載の発明は、請求項６に記載のコンテンツ記録装置であって、前記記録方式決定手段が、全ての前記分割番組コンテンツを、高品位な記録方式の分割番組コンテンツと低品位な記録方式の分割番組コンテンツとしてそれぞれ所定の一時記録手段に記録した後に、前記視聴希望シーン判定手段の判定結果に基づき、前記各分割番組コンテンツが前記視聴希望シーンを含む場合に高品位な記録方式の分割番組コンテンツを選択し、前記各分割番組コンテンツが前記視聴希望シーンを含まない場合に低品位な記録方式の分割番組コンテンツを選択するものである。
【００２０】
請求項９に記載の発明は、テレビジョン信号として与えられる番組コンテンツを記録するコンテンツ記録方法であって、前記番組コンテンツ内の所望の視聴希望シーンを指定するための指定情報をユーザーが所定の入力手段を用いて入力する第１の工程と、前記番組コンテンツ内の各シーンが、前記入力手段で入力された前記指定情報に対応する視聴希望シーンであるか否かを判定する第２の工程と、前記番組コンテンツを複数の分割番組コンテンツに分割するタイミングを設定する第３の工程と、前記第２の工程での判定結果に基づき、前記第３の工程で設定されたタイミングで分割された前記分割番組コンテンツ毎に、所定の蓄積媒体への記録方式を決定する第４の工程と、前記第４の工程で決定された記録方式の前記分割番組コンテンツを連結して、１個の番組コンテンツに再構成する第５の工程とを備えるものである。
【００２１】
請求項１０に記載の発明は、請求項９に記載のコンテンツ記録方法であって、前記第１の工程で入力される前記指定情報が、前記視聴希望シーンに関わる１個以上の単語であり、前記第２の工程において、前記テレビジョン信号に重畳されている文字情報から、前記第１の工程で入力された前記単語を検索し、該単語が含まれるシーンを前記視聴希望シーンであると判定するものである。
【００２２】
請求項１１に記載の発明は、請求項９または請求項１０に記載のコンテンツ記録方法であって、前記第３の工程において、前記番組コンテンツ中のシーン変化点を抽出し、当該シーン変化点を区切りとして前記番組コンテンツを分割するよう設定するものである。
【００２３】
請求項１２に記載の発明は、請求項９または請求項１０に記載のコンテンツ記録方法であって、前記第３の工程において、一定の時間間隔毎に区切って前記番組コンテンツを分割するよう設定するものである。
【００２４】
請求項１３に記載の発明は、請求項９または請求項１０に記載のコンテンツ記録方法であって、前記第３の工程において、前記第２の工程で前記視聴希望シーンだと判定されたシーンから、予め設定された時間だけ前後に離れた点を区切りとして、前記番組コンテンツを分割するよう設定するものである。
【００２５】
請求項１４に記載の発明は、請求項９ないし請求項１３のいずれかに記載のコンテンツ記録方法であって、前記第４の工程において、前記第２の工程での判定結果に基づき、前記各分割番組コンテンツ毎に、前記視聴希望シーンを含む場合に記録ビットレートの高い高品位な分割番組コンテンツとする一方、前記視聴希望シーンを含まない場合に記録ビットレートの低い低品位な分割番組コンテンツとして、前記蓄積媒体への記録方式を決定するものである。
【００２６】
請求項１５に記載の発明は、請求項１４に記載のコンテンツ記録方法であって、前記第４の工程において、全ての前記分割番組コンテンツを高品位な記録方式で所定の一時記録手段に記録し、前記第２の工程での判定結果に基づき、前記一時記録手段内の高品位な前記分割番組コンテンツの中から、前記視聴希望シーンを含まない分割番組コンテンツのみをビットレート変換により低品位コンテンツに変換するものである。
【００２７】
請求項１６に記載の発明は、請求項１４に記載のコンテンツ記録方法であって、前記第４の工程において、全ての前記分割番組コンテンツを、高品位な記録方式の分割番組コンテンツと低品位な記録方式の分割番組コンテンツとしてそれぞれ所定の一時記録手段に記録した後に、前記第２の工程での判定結果に基づき、前記各分割番組コンテンツが前記視聴希望シーンを含む場合に高品位な記録方式の分割番組コンテンツを選択し、前記各分割番組コンテンツが前記視聴希望シーンを含まない場合に低品位な記録方式の分割番組コンテンツを選択するものである。
【００２８】
【発明の実施の形態】
以下、本発明を、その実施の形態を示す図面に基づいて具体的に説明する。尚、コンテンツ記録装置の映像処理等については、入力されるテレビジョン信号として、アナログテレビジョン信号を対象とする場合と、デジタルテレビジョン信号を対象とする場合とで、その動作が若干異なる。このため、以下の実施の形態では、アナログテレビジョン信号を対象とする場合と、デジタルテレビジョン信号を対象とする場合の動作を併記して説明する。
【００２９】
｛実施の形態１｝
＜構成＞
図１はこの発明の実施の形態１に係るコンテンツ記録装置を示すブロック図である。
【００３０】
このコンテンツ記録装置は、図１の如く、入力されたテレビジョン信号に重畳された文字情報を抽出する文字情報抽出部１と、視聴希望シーンを検出するために使用するキーワード（指定情報）をユーザーが入力するために用いられる検索キーワード入力部（入力手段）２と、この検索キーワード入力部２から転送された検索キーワードを、文字情報抽出部１によって抽出された文字情報の中から検出し、キーワード検出信号を出力する検索キーワード検出部（視聴希望シーン判定手段）３と、入力されたテレビジョン信号のシーン変化点Ｔａ〜Ｔｄ（図２）を検出して番組コンテンツの分割タイミングを設定するシーン変化点検出部（シーン変化点検出手段：コンテンツ分割設定手段）４と、このシーン変化点検出部４から伝送されるシーン変化情報に基づき、入力されたテレビジョン信号に含まれる番組コンテンツ１００を分割して生成した分割番組コンテンツ１０１（Ｍ），１０２（Ｎ），１０３（Ｏ）（図２）を、記録用のバッファ６に蓄積可能なフォーマットに変換して記録する記録信号生成部５と、この記録信号生成部５から伝送された分割された番組コンテンツ１００を一時的に蓄積する上記のバッファ（一時記録手段）６と、シーン変化点検出部４から伝送されたシーン変化情報と、検索キーワード検出部３から伝送されるキーワード検出信号とに基づいて、分割番組コンテンツ１０１（Ｍ），１０２（Ｎ），１０３（Ｏ）（図２）毎に視聴希望シーンを含むかどうかを判断し、その判断結果としての視聴希望シーン含有情報を伝送する制御部７と、この制御部７から伝送される分割番組コンテンツ１０１（Ｍ），１０２（Ｎ），１０３（Ｏ）（図２）毎の視聴希望シーン含有情報に基づいて、バッファ６に蓄積されている各分割番組コンテンツ１０１（Ｍ），１０２（Ｎ），１０３（Ｏ）（図２）のビットレートを変換するビットレート変換部（記録方式決定手段）８と、このビットレート変換部８でビットレートが変換処理された後の各分割番組コンテンツ１０１（Ｍ），１０２（Ｎ），１０３（Ｏ）を統合し、１本の番組コンテンツ１００ａに再構成するコンテンツ再構成部（コンテンツ再構成手段）９と、このコンテンツ再構成部９によって再構成された番組コンテンツ１００ａを格納するストレージ（蓄積媒体）１０とを備える。
【００３１】
文字情報抽出部１は、入力されたテレビジョン信号がアナログテレビジョン信号である場合に、テレビジョン信号の各フィールドの垂直帰線消去期間（ＶＢＩ：Ｖｅｒｔｉｃａｌ  Ｂｌａｎｋｉｎｇ  Ｉｎｔｅｒｖａｌ）の２１本目に重畳された文字情報の抽出を行う一方、入力されたテレビジョン信号がデジタルテレビジョン信号である場合に、該当するデジタル放送サービスの規格によって予め決められている方法に従って、文字情報の抽出を行うものである。
【００３２】
検索キーワード入力部２は、例えば、押し釦スイッチ等を備えるリモートコントロール装置等が使用されたユーザーインターフェースであり、ユーザーが記録を希望するシーンを検出するために使用する１個または複数個の検索キーワードを入力するために用いられるものである。この検索キーワードは、ユーザーが記録を希望するシーンが再生されるときに、音声として再生される単語をユーザーが指定することで入力される。複数個の検索キーワードを入力する場合は、望ましくは、論理和と論理積とを選択できるようになっている。
【００３３】
検索キーワード検出部３は、検索キーワード入力部２で入力された検索キーワードを、文字情報抽出部１で抽出された文字情報の中から検索し、この検索の結果、検索キーワードが文字情報抽出部１で抽出された文字情報の中から検出された場合には、その時点のシーンが視聴希望シーンであると判定して、制御部７に対して、キーワード検出信号を伝送するものである。
【００３４】
シーン変化点検出部４は、入力されたテレビジョン信号がアナログテレビジョン信号である場合に、映像信号の色調や動きベクトルの抽出などの画像処理を行い、それらの画像特徴の時間軸方向の変化を監視することによって、シーン変化点Ｔａ〜Ｔｄ（図２）を検出し、シーン変化情報を、記録信号生成部５と制御部７に伝送する一方、入力されたテレビジョン信号がデジタルテレビジョン信号である場合には、符号化された映像データから、その色調や動きベクトルを解析し、それらの画像特徴の時間軸方向の変化を監視することによって、シーン変化点Ｔａ〜Ｔｄ（図２）を検出し、シーン変化点情報を、記録信号生成部５と制御部７に伝送するものである。
【００３５】
記録信号生成部５は、入力されたテレビジョン信号がアナログテレビジョン信号である場合に、入力されたテレビジョン信号をＭＰＥＧ形式のデジタルデータに符号化し、さらに、シーン変化点検出部４よりシーン変化点情報が伝送される毎度に、ＭＰＥＧ形式で符号化されたデジタルデータを分割し、分割番組コンテンツ１０１（Ｍ），１０２（Ｎ），１０３（Ｏ）（図２）を生成して、この各分割番組コンテンツ１０１（Ｍ），１０２（Ｎ），１０３（Ｏ）をバッファ６に転送する一方、入力されたテレビジョン信号がデジタルテレビジョン信号である場合には、シーン変化点検出部４よりシーン変化点情報が伝送される毎度に、デジタルテレビジョン信号を分割し、分割番組コンテンツ１０１（Ｍ），１０２（Ｎ），１０３（Ｏ）を生成して、この各分割番組コンテンツ１０１（Ｍ），１０２（Ｎ），１０３（Ｏ）をバッファ６に転送するものである。
【００３６】
制御部７は、シーン変化点検出部４より伝送されるシーン変化点情報で区切られる各期間に、検索キーワード検出部３よりキーワード検出信号の伝送があったかどうかを判断するものである。ここで、記録信号生成部５で分割された各分割番組コンテンツ１０１（Ｍ），１０２（Ｎ），１０３（Ｏ）（図２）は、シーン変化点検出部４より伝送されるシーン変化点情報で分割されたものである。したがって、各分割番組コンテンツ１０１（Ｍ），１０２（Ｎ），１０３（Ｏ）の該当期間にキーワード検出信号の伝送があったか否かを判断することで、この分割番組コンテンツ１０１（Ｍ），１０２（Ｎ），１０３（Ｏ）に視聴希望シーンが含まれているかどうかを判定することができる。制御部７は、各分割番組コンテンツ１０１（Ｍ），１０２（Ｎ），１０３（Ｏ）に視聴希望シーンを含んでいるかどうかの判断結果の情報を、ビットレート変換部８に伝送する。
【００３７】
ビットレート変換部８は、制御部７からの情報に基づき、各分割番組コンテンツ１０１（Ｍ），１０２（Ｎ），１０３（Ｏ）が視聴希望シーンを含んでいるか否かを判断し、各分割番組コンテンツ１０１（Ｍ），１０２（Ｎ），１０３（Ｏ）が視聴希望シーンを含んでいない場合に、バッファ６に蓄積されているこの分割番組コンテンツ１０１（Ｍ），１０２（Ｎ），１０３（Ｏ）の記録ビットレートを低下させるものである。視聴希望シーンを含んでいない分割番組コンテンツ１０１（Ｍ），１０２（Ｎ），１０３（Ｏ）は、視聴希望シーンを含んでいる分割番組コンテンツ１０１（Ｍ），１０２（Ｎ），１０３（Ｏ）と比較して、ユーザーにとって比較的重要ではないと判断できる。そのため、視聴希望シーンを含んでいない分割番組コンテンツ１０１（Ｍ），１０２（Ｎ），１０３（Ｏ）は、記録サイズが大きい高品位データのまま記録するのではなく、比較的低品位なデータにはなるが、低ビットレートのデータへの変換を行い、記録サイズを小さくするのである。
【００３８】
コンテンツ再構成部９は、ビットレート変換部８で分割番組コンテンツ１０１（Ｍ），１０２（Ｎ），１０３（Ｏ）毎にビットレート変換された後、バッファ６に蓄積されている各分割番組コンテンツ１０１（Ｍ），１０２（Ｎ），１０３（Ｏ）をバッファ６に蓄積された時間順につなぎ合わせて、番組コンテンツ１００の再構成を行い、再構成された番組コンテンツ１００ａをストレージ１０に伝送するものである。
【００３９】
ストレージ１０は、コンテンツ再構成部９から伝送された番組コンテンツ１００ａを記録するものである。
【００４０】
尚、文字情報抽出部１、検索キーワード検出部３、シーン変化点検出部４、記録信号生成部５、制御部７、ビットレート変換部８及びコンテンツ再構成部９は、単一または複数のマイクロコンピュータチップ等の半導体集積回路及びこれらを接続する導線等が使用されて回路構成されるもので、例えば、一部または前部の機能が、ＲＯＭ等に予め格納されたソフトウェアプログラムによってＣＰＵが動作して実現される。
【００４１】
＜動作＞
次に、このコンテンツ記録装置の動作を説明する。
【００４２】
まず、ユーザーは、記録を希望するシーンを検出するために使用する検索キーワードを、ユーザーインターフェースである検索キーワード入力部２を用いて入力する。この検索キーワードは、例えばユーザーが記録を希望するシーンが再生されるときに、音声として再生される単語などをユーザーが任意に選択して指定する。
【００４３】
そして、テレビジョン信号が、文字情報抽出部１、シーン変化点検出部４及び記録信号生成部５に入力される。
【００４４】
ここで入力されたテレビジョン信号がアナログテレビジョン信号である場合には、文字情報抽出部１は、テレビジョン信号の各フィールドの垂直帰線消去期間の２１本目に重畳された文字情報の抽出を行う。一方、入力されたテレビジョン信号がデジタルテレビジョン信号である場合には、文字情報抽出部１は、該当するデジタル放送サービスの規格によって予め決められている方法に従って、文字情報の抽出を行う。
【００４５】
次に、検索キーワード検出部３は、検索キーワード入力部２で入力された検索キーワードを、文字情報抽出部１で抽出された文字情報の中から検出する。検索キーワードが文字情報抽出部１で抽出された文字情報の中から検出された場合には、制御部７に対して、キーワード検出信号を伝送する。
【００４６】
これと併行して、シーン変化点検出部４は、図２の如く、番組コンテンツ１００のなかからシーン変化点Ｔａ〜Ｔｄを検出する。具体的に、テレビジョン信号がアナログテレビジョン信号である場合、シーン変化点検出部４は、映像信号の色調や動きベクトルの抽出などの画像処理を行い、それらの画像特徴の時間軸方向の変化を監視することによって、シーン変化点Ｔａ〜Ｔｄ（図２）を検出し、シーン変化情報を、記録信号生成部５と制御部７に伝送する。一方、入力されたテレビジョン信号がデジタルテレビジョン信号である場合は、シーン変化点検出部４は、符号化された映像データから、その色調や動きベクトルを解析し、それらの画像特徴の時間軸方向の変化を監視することによって、シーン変化点Ｔａ〜Ｔｄ（図２）を検出し、シーン変化点情報を、記録信号生成部５と制御部７に伝送する。
【００４７】
このとき、記録信号生成部５は、シーン変化点検出部４から伝送されるシーン変化情報に基づいて番組コンテンツを複数の分割番組コンテンツに分割する。
【００４８】
この場合において、記録信号生成部５は、入力されたテレビジョン信号がアナログテレビジョン信号である場合、入力されたテレビジョン信号をＭＰＥＧ形式のデジタルデータに符号化し、シーン変化点検出部４よりシーン変化点情報が伝送される毎度に、ＭＰＥＧ形式で符号化されたデジタルデータを分割して、分割番組コンテンツ１０１（Ｍ），１０２（Ｎ），１０３（Ｏ）を生成する。記録信号生成部５は、各分割番組コンテンツ１０１（Ｍ），１０２（Ｎ），１０３（Ｏ）をバッファ６に転送する。
【００４９】
一方、記録信号生成部５は、入力されたテレビジョン信号がデジタルテレビジョン信号である場合には、シーン変化点検出部４よりシーン変化点情報が伝送される毎度に、デジタルテレビジョン信号を分割し、分割番組コンテンツ１０１（Ｍ），１０２（Ｎ），１０３（Ｏ）を生成する。そして、記録信号生成部５は、各分割番組コンテンツ１０１（Ｍ），１０２（Ｎ），１０３（Ｏ）をバッファ６に転送する。
【００５０】
ここで、例えばシーン変化点検出部４にテレビジョン信号のシーン変化が図２のように時間Ｔａ、Ｔｂ、Ｔｃ、およびＴｄで検出された場合は、番組コンテンツ１００は、時間Ｔａ、Ｔｂ、Ｔｃ、およびＴｄで分割番組コンテンツ１０１（Ｍ），１０２（Ｎ），１０３（Ｏ）に分割される。入力されるテレビジョン信号のシーン変化は、一定間隔ではなく不規則時間間隔で発生するため、各分割番組コンテンツ１０１（Ｍ），１０２（Ｎ），１０３（Ｏ）の時間的長さは、一定とはならない。
【００５１】
そして、制御部７は、シーン変化点検出部４より伝送されるシーン変化点情報で区切られる各期間に、検索キーワード検出部３よりキーワード検出信号の伝送があったかどうかを判定する。記録信号生成部５で分割された各分割番組コンテンツ１０１（Ｍ），１０２（Ｎ），１０３（Ｏ）は、シーン変化点検出部４より伝送されるシーン変化点情報で分割されたものである。したがって、制御部７において各分割番組コンテンツ１０１（Ｍ），１０２（Ｎ），１０３（Ｏ）の該当期間にキーワード検出信号の伝送があったか否かが判定されることで、この分割番組コンテンツ１０１（Ｍ），１０２（Ｎ），１０３（Ｏ）に視聴希望シーンが含まれているかどうかが判定できる。この判定の後、制御部７は、各分割番組コンテンツ１０１（Ｍ），１０２（Ｎ），１０３（Ｏ）に視聴希望シーンを含んでいるかどうかの情報を、ビットレート変換部８に伝送する。
【００５２】
ビットレート変換部８は、制御部７からの情報に基いて、各分割番組コンテンツ１０１（Ｍ），１０２（Ｎ），１０３（Ｏ）が視聴希望シーンを含んでいるかどうかを判断する。そして、各分割番組コンテンツ１０１（Ｍ），１０２（Ｎ），１０３（Ｏ）が視聴希望シーンを含んでいない場合には、バッファ６に蓄積されている分割番組コンテンツ１０１（Ｍ），１０２（Ｎ），１０３（Ｏ）の記録ビットレートを低下させる。視聴希望シーンを含んでいない分割番組コンテンツ１０１（Ｍ），１０２（Ｎ），１０３（Ｏ）は、視聴希望シーンを含んでいる分割番組コンテンツ１０１（Ｍ），１０２（Ｎ），１０３（Ｏ）と比較して、ユーザーにとって比較的重要ではないと判断できため、視聴希望シーンを含んでいない分割番組コンテンツ１０１（Ｍ），１０２（Ｎ），１０３（Ｏ）は、記録サイズが大きい高品位データのまま記録するのではなく、比較的低品位なデータにはなるが、低ビットレートのデータへの変換を行い、記録サイズを小さくするのである。
【００５３】
そして、コンテンツ再構成部９は、ビットレート変換部８で分割番組コンテンツ１０１（Ｍ），１０２（Ｎ），１０３（Ｏ）毎にビットレート変換された後、バッファ６に蓄積されている各分割番組コンテンツ１０１（Ｍ），１０２（Ｎ），１０３（Ｏ）をバッファ６に蓄積された時間順につなぎ合わせて、番組コンテンツ１００の再構成を行い、再構成された番組コンテンツ１００ａをストレージ１０に伝送する。
【００５４】
図３は、バッファ６、ビットレート変換部８、およびコンテンツ再構成部９で行われる、ビットレート変換と分割番組コンテンツ１０４（Ａ），１０５（Ｂ），１０６（Ｃ），１０７（Ｄ），１０８（Ｅ），１０９（Ｆ）の再構成の例を説明する図である。記録信号生成部５からバッファ６に伝送された高品位な番組コンテンツ１００は、前述のようにシーン変化点（図２中の符合Ｔａ〜Ｔｄ参照）で分割され、分割番組コンテンツ１０４（Ａ）〜１０９（Ｆ）としてバッファ６内に蓄積される。
【００５５】
ここで例えば、６個の分割番組コンテンツ１０４（Ａ）〜１０９（Ｆ）のうちの４個の分割番組コンテンツ１０４（Ａ），１０６（Ｃ），１０７（Ｄ），１０９（Ｆ）には視聴希望シーンが含まれず、残りの２個の分割番組コンテンツ１０５（Ｂ），１０８（Ｅ）には視聴希望シーンが含まれている、との情報が制御部７からビットレート変換部８に通知されたとする。
【００５６】
このとき、ビットレート変換部８は、視聴希望シーンの含まれない４個の分割番組コンテンツ１０４（Ａ），１０６（Ｃ），１０７（Ｄ），１０９（Ｆ）のビットレートを低ビットレートに変換し、記録サイズの小さな分割番組コンテンツ１０４ａ（ａ），１０６ａ（ｃ），１０７ａ（ｄ），１０９ａ（ｆ）をそれぞれ生成し、バッファ６内に一時的に格納する。
【００５７】
コンテンツ再構成部９は、バッファ６内の低ビットレートの４個の分割番組コンテンツ１０４ａ（ａ），１０６ａ（ｃ），１０７ａ（ｄ），１０９ａ（ｆ）と、視聴希望シーンが含まれている２個の分割番組コンテンツ１０５（Ｂ），１０８（Ｅ）とを、元の番組コンテンツ１００内の順序に対応してつなぎ合わせて、１個の番組コンテンツ１００ａに再構成する。そして、コンテンツ再構成部９で再構成された新たな番組コンテンツ１００ａは、ストレージ１０に記録される。
【００５８】
このように、記録したい番組コンテンツ１００において、ユーザーが視聴を希望するシーンを含む分割番組コンテンツ１０５（Ｂ），１０８（Ｅ）と、ユーザーが視聴を希望するシーンを含まない分割番組コンテンツ１０４（Ａ），１０６（Ｃ），１０７（Ｄ），１０９（Ｆ）とに区別し、ユーザーが視聴を希望するシーンを含まない分割番組コンテンツ１０４（Ａ），１０６（Ｃ），１０７（Ｄ），１０９（Ｆ）については、ユーザーが視聴を希望するシーンを含む分割番組コンテンツ１０５（Ｂ），１０８（Ｅ）よりも低ビットレートのデータからなる分割番組コンテンツ１０４ａ（ａ），１０６ａ（ｃ），１０７ａ（ｄ），１０９ａ（ｆ）に変換して記録するので、ユーザーが視聴を希望するシーンを、比較的高ビットレートの高品位なコンテンツとして記録しながらも、この番組コンテンツ全体のデータサイズを圧縮することが可能となり、コンテンツ記録装置の記録容量の利用効率を向上させることが可能である。
【００５９】
また、記録する番組コンテンツのシーン変化を検出し、シーン変化点毎に、記録する番組コンテンツを分割番組コンテンツ１０４（Ａ）〜１０９（Ｆ）に分割するので、ユーザーが視聴を希望するシーンを含む分割番組コンテンツ１０５（Ｂ），１０８（Ｅ）をシーンの単位で峻別することができ、この視聴を希望するシーンを含む分割番組コンテンツ１０５（Ｂ），１０８（Ｅ）のみが高ビットレートで高品位で記録される。したがって、ユーザーが視聴を希望するシーンを含まない分割番組コンテンツ１０４ａ（ａ），１０６ａ（ｃ），１０７ａ（ｄ），１０９ａ（ｆ）、つまりユーザーが視聴を希望していないシーンを全て低ビットレートで記録することが可能となり、コンテンツ記録装置の記録容量の利用効率を向上させることが可能である。
【００６０】
さらに、検索キーワードを入力するだけで、ユーザーが視聴を希望しているシーンを抽出できるので、ユーザーの手数が少なく便利なコンテンツ記録装置を提供できる。
【００６１】
｛実施の形態２｝
＜構成＞
図４はこの発明の実施の形態２に係るコンテンツ記録装置を示す図である。なお、図４では図１に示した実施の形態１と同様の機能を有する要素について同一符号を付している。
【００６２】
上記した実施の形態１では、単一のビットレート変換部８で、視聴希望シーンを含んでいない分割番組コンテンツのみを、低ビットレートのデータへ変換しており、視聴希望シーンを含む分割番組コンテンツについては、ビットレート変換を行わないようにしていたのに対して、実施の形態２に係るコンテンツ記録装置では、図４の如く、全ての分割番組コンテンツを高品位に変換する高ビットレート記録信号生成部（記録方式決定手段）１１と、全ての分割番組コンテンツを低品位に変換する低ビットレート記録信号生成部（記録方式決定手段）１２と、高ビットレート記録信号生成部１１で高品位に変換された各分割番組コンテンツ１１１〜１１６（図５中のＧ〜Ｌ）を一時的に格納する第１のバッファ（一時記録手段）１３と、低ビットレート記録信号生成部１２で低品位に変換された各分割番組コンテンツ１１１ａ〜１１６ａ（図５中のｇ〜ｌ）を一時的に格納する第２のバッファ（一時記録手段）１４と、両バッファ１３，１４に格納された分割番組コンテンツ１１１（Ｇ）〜１１６（Ｌ），１１１ａ（ｇ）〜１１６ａ（ｌ）を再構成するコンテンツ再構成部１５と備える。
【００６３】
高ビットレート記録信号生成部１１は、図５の如く、入力されたテレビジョン信号に含まれる番組コンテンツを、シーン変化点検出部４から伝送されるシーン変化情報に基いて分割し、その分割された各分割番組コンテンツを、記録用バッファに蓄積可能な高品位のフォーマットの分割番組コンテンツ１１１（Ｇ）〜１１６（Ｌ）にビットレート変換して、これらの全てを第１のバッファ１３内に記録する。
【００６４】
低ビットレート記録信号生成部１２は、図５の如く、入力されたテレビジョン信号に含まれる番組コンテンツを、シーン変化点検出部４から伝送されるシーン変化情報に基いて分割し、その分割された各分割番組コンテンツを、記録用バッファに蓄積可能な低品位のフォーマットの分割番組コンテンツ１１１ａ（ｇ）〜１１６ａ（ｌ）にビットレート変換して、これらの全てを第２のバッファ１４内に記録する。
【００６５】
そして、コンテンツ再構成部１５は、制御部７から伝送される分割番組コンテンツ毎の視聴希望シーン含有情報に基づいて、各シーン毎に、第１のバッファ１３内の分割番組コンテンツ１１１（Ｇ）〜１１６（Ｌ）と第２のバッファ１４内の分割番組コンテンツ１１１ａ（ｇ）〜１１６ａ（ｌ）を選択し、元の番組コンテンツ内の順序に対応してつなぎ合わせて、１個の番組コンテンツ１１０ａに再構成する。このコンテンツ再構成部１５で再構成された新たな番組コンテンツ１１０ａは、ストレージ１０に記録される。
【００６６】
その他の構成は、図１に示した実施の形態１と同様である。
【００６７】
＜動作＞
このコンテンツ記録装置の動作を説明する。
【００６８】
ユーザーは、記録を希望するシーンを検出するために使用する検索キーワードを、ユーザーインターフェースである検索キーワード入力部２を用いて入力する。そして、テレビジョン信号が、文字情報抽出部１、シーン変化点検出部４、高ビットレート記録信号生成部１１及び低ビットレート記録信号生成部１２に入力される。
【００６９】
このときの文字情報抽出部１、検索キーワード検出部３及びシーン変化点検出部４での動作は、実施の形態１の場合と同様であるため、ここではその説明を省略する。
【００７０】
そして、高ビットレート記録信号生成部１１は、シーン変化点検出部４から伝送されるシーン変化情報に基づいて番組コンテンツを複数の分割番組コンテンツに分割しつつ、各分割番組コンテンツ毎に高品位なＭＰＥＧ形式のデジタルデータに符号化して、図５に示した分割番組コンテンツ１１１（Ｇ）〜１１６（Ｌ）を生成する。ここで生成された各分割番組コンテンツ１１１（Ｇ）〜１１６（Ｌ）は、第１のバッファ１３に転送されて記録される。
【００７１】
また、低ビットレート記録信号生成部１２は、シーン変化点検出部４から伝送されるシーン変化情報に基づいて番組コンテンツを複数の分割番組コンテンツに分割しつつ、各分割番組コンテンツ毎に低品位なＭＰＥＧ形式のデジタルデータに符号化して、図５に示した分割番組コンテンツ１１１ａ（ｇ）〜１１６ａ（ｌ）を生成する。この分割番組コンテンツ１１１ａ（ｇ）〜１１６ａ（ｌ）は、高ビットレート記録信号生成部１１で符号化された分割番組コンテンツ１１１（Ｇ）〜１１６（Ｌ）よりも低品位なＭＰＥＧ形式のデジタルデータとされる。
この各分割番組コンテンツ１１１ａ（ｇ）〜１１６ａ（ｌ）は、第２のバッファ１４に転送されて記録される。
【００７２】
コンテンツ再構成部１５は、制御部７からの情報に基づき、各分割番組コンテンツが視聴希望シーンを含んでいるかどうかを判断する。そして、各分割番組コンテンツが視聴希望シーンを含んでいる場合には、そのシーンについて、第１のバッファ１３に蓄積されている分割番組コンテンツ１１１（Ｇ）〜１１６（Ｌ）を選択し、各分割番組コンテンツが視聴希望シーンを含んでいない場合には、そのシーンについて、第２のバッファ１４に蓄積されている分割番組コンテンツ１１１ａ（ｇ）〜１１６ａ（ｌ）を選択する。
【００７３】
視聴希望シーンを含んでいない分割番組コンテンツ１１１ａ（ｇ）〜１１６ａ（ｌ）は、視聴希望シーンを含んでいる分割番組コンテンツ１１１（Ｇ）〜１１６（Ｌ）と比較して、ユーザーにとって比較的重要ではないと判断できる。そのため、視聴希望シーンを含んでいない分割番組コンテンツ１１１ａ（ｇ）〜１１６ａ（ｌ）としては、第２のバッファ１４に格納されている比較的低品位ではあるが記録サイズが小さい分割番組コンテンツ１１１ａ（ｇ）〜１１６ａ（ｌ）を選択するのである。
【００７４】
さらに、コンテンツ再構成部１５は、第１のバッファ１３および第２のバッファ１４に蓄積されている分割番組コンテンツ１１１（Ｇ）〜１１６（Ｌ），１１１ａ（ｇ）〜１１６ａ（ｌ）の中から選択されたもの、即ち、図５中の分割番組コンテンツ１１１ａ（ｇ），１１２（Ｈ），１１３ａ（ｉ），１１４ａ（ｊ），１１５（Ｋ），１１６ａ（ｌ）を、元の番組コンテンツ内での順序に対応して時間順につなぎ合わせることで、番組コンテンツ１１０ａの再構成を行い、この再構成された番組コンテンツ１１０ａをストレージ１０に伝送する。
【００７５】
この実施の形態２においては、実施の形態１と異なり、視聴希望シーンを含まない分割番組コンテンツだけでなく、視聴希望シーンを含む分割番組コンテンツをも符号化することが可能である。この場合、視聴希望シーンを含む分割番組コンテンツを高ビットレートで高品位に記録して符号化することで、そのシーンの表示品質を視聴希望シーンを含まない分割番組コンテンツよりも高めることが可能である。その他の効果は、実施の形態１と同様である。
【００７６】
｛実施の形態３｝
図６はこの発明の実施の形態３に係るコンテンツ記録装置を示すブロック図である。なお、図６では図１に示した実施の形態１と同様の機能を有する要素については同一符号を付している。
【００７７】
この実施の形態のコンテンツ記録装置は、実施の形態１で説明したシーン変化点検出部４に代えて、記録する番組コンテンツを分割するための分割タイミング信号を一定時間間隔毎に出力する分割タイミング信号生成部（コンテンツ分割設定手段）１６を備えている。
【００７８】
その他の構成は、図１に示した実施の形態１と同様である。
【００７９】
この実施の形態３に係るコンテンツ記録装置において、ユーザーは、記録を希望するシーンを検出するために使用する検索キーワードを、ユーザーインターフェースである検索キーワード入力部２を用いて入力する。そして、テレビジョン信号が、文字情報抽出部１及び記録信号生成部５に入力される。
【００８０】
このときの文字情報抽出部１、検索キーワード検出部３及び制御部７での動作は、実施の形態１の場合と同様であるため、ここではその説明を省略する。
【００８１】
そして、分割タイミング信号生成部１６は、テレビジョン信号の入力とは関わりなく、図７の如く、記録する番組コンテンツ１２０を分割するための分割タイミング信号を、予め設定された一定時間間隔毎に記録信号生成部５及び制御部７に伝送する。
【００８２】
分割タイミング信号が図７のように時刻Ｔｅ，Ｔｆ，Ｔｇ，Ｔｈで伝送された場合、テレビジョン信号として記録信号生成部５に与えられた番組コンテンツは、時刻Ｔｅ，Ｔｆ，Ｔｇ，Ｔｈで分割され、時刻Ｔｅと時刻Ｔｆで区切られた分割番組コンテンツ１２１（Ｐ）と、時刻Ｔｆと時刻Ｔｇで区切られた分割番組コンテンツ１２２（Ｑ）と、時刻Ｔｇと時刻Ｔｈで区切られた分割番組コンテンツ１２３（Ｒ）とが生成される。
【００８３】
分割タイミング信号生成部１６から伝送される分割タイミング信号の発生間隔は、各分割番組コンテンツ１２１（Ｐ）〜１２３（Ｒ）が視聴希望シーンを含むかどうかに関わらず一定であるため、各分割番組コンテンツ１２１（Ｐ）〜１２３（Ｒ）の時間的長さは、記録終了時点で区切られる最後の分割番組コンテンツの時間的長さを除いて、全て等しくなる。
【００８４】
かかる分割番組コンテンツ１２１（Ｐ）〜１２３（Ｒ）は、バッファ６内に一時的に格納される。その後は、実施の形態１と同様に、ビットレート変換部８によって、視聴希望シーンを含んでいない分割番組コンテンツの記録ビットレートを低下させる一方、視聴希望シーンを含む分割番組コンテンツについてはそのままとして、これらの分割番組コンテンツをコンテンツ再構成部９で再構成し、ストレージ１０に記録する。
【００８５】
このように、この実施の形態では、一定時間間隔で、ユーザーが視聴を希望するシーンを含む分割番組コンテンツ１２１（Ｐ）〜１２３（Ｒ）と、ユーザーが視聴を希望するシーンを含まない分割番組コンテンツ１２１（Ｐ）〜１２３（Ｒ）とを区切っているので、映像情報に変化が少なくシーン変化点の抽出が難しい場合や、映像情報に変化が多すぎてシーン変化の間隔が短すぎる場合でも、ユーザーが視聴を希望するシーンを含む分割番組コンテンツ１２１（Ｐ）〜１２３（Ｒ）の時間的長さを、ユーザーが認識可能で使用し易い適当な長さに保つことが可能である。
【００８６】
｛実施の形態４｝
図８はこの発明の実施の形態４に係るコンテンツ記録装置を示すブロック図である。なお、図８では図６に示した実施の形態３と同様の機能を有する要素については同一符号を付している。
【００８７】
この実施の形態のコンテンツ記録装置は、実施の形態３で説明した分割タイミング信号生成部１６に代えて、図８の如く、検索キーワード検出部３からキーワード検出信号を受信した瞬間と、そこから一定時間経過した瞬間に、記録する番組コンテンツを分割するための分割タイミング信号を出力する分割タイミング信号生成部（コンテンツ分割設定手段）１７を備える。
【００８８】
その他の構成は、図６に示した実施の形態３と同様である。
【００８９】
この実施の形態４に係るコンテンツ記録装置の動作を説明する。まずユーザーは、記録を希望するシーンを検出するために使用する検索キーワードを、ユーザーインターフェースである検索キーワード入力部２を用いて入力する。そして、テレビジョン信号が、文字情報抽出部１及び記録信号生成部５に入力される。
【００９０】
このときの文字情報抽出部１、検索キーワード検出部３及び制御部７での動作は、実施の形態１の場合と同様であるため、ここではその説明を省略する。
【００９１】
そして、分割タイミング信号生成部１７は、検索キーワード検出部３からキーワード検出信号を受信した瞬間と、そこから一定時間経過した瞬間に、記録する番組コンテンツを分割するための分割タイミング信号を記録信号生成部５と制御部７に伝送する。
【００９２】
図９は、分割タイミング信号生成部１７から伝送される分割タイミング信号によって、記録信号生成部５で番組コンテンツ１３０が分割される様子を説明する図である。視聴希望シーンが検出されて、分割タイミング信号が時刻Ｔｉ及び時刻Ｔｋで伝送された場合、番組コンテンツ１３０は、時刻Ｔｉとこの時刻Ｔｉから一定時間経過した時刻Ｔｊ、および時刻Ｔｋとこの時刻Ｔｋから一定時間経過した時刻Ｔｌで分割される。その結果、時刻Ｔｉと時刻Ｔｊで区切られた分割番組コンテンツ１３１（Ｓ）と、時刻Ｔｊと時刻Ｔｋで区切られた分割番組コンテンツ１３２（Ｔ）と、時刻Ｔｋと時刻Ｔｌで区切られた分割番組コンテンツ１３３（Ｕ）が生成される。
【００９３】
分割タイミング信号生成部１７から伝送される分割タイミング信号の発生タイミングは、入力されたテレビジョン信号に重畳されている文字情報から検索キーワードを検出したタイミングを基準とするため、一定間隔ではない。そのため、各分割番組コンテンツ１３１（Ｓ）〜１３３（Ｕ）の時間的長さは、一定とはならない。
【００９４】
かかる分割番組コンテンツ１３１（Ｓ）〜１３３（Ｕ）は、バッファ６に一時的に格納される。その後は、実施の形態１と同様に、制御部７からの情報に基づいて、ビットレート変換部８によって、視聴希望シーンを含んでいない分割番組コンテンツ（図９の例では分割番組コンテンツ１３２（Ｔ））の記録ビットレートを低下させる一方、視聴希望シーンを含む分割番組コンテンツ（図９の例では分割番組コンテンツ１３１（Ｓ），１３３（Ｕ））についてはそのままとして、これらの分割番組コンテンツをコンテンツ再構成部９で再構成し、ストレージ１０に記録する。
【００９５】
このように、この実施の形態４に係るコンテンツ記録装置によれば、検索キーワードが文字情報から検出された瞬間と、そこから一定時間経過した瞬間に、各分割番組コンテンツ１３１（Ｓ）〜１３３（Ｕ）を区切っているので、ユーザーが視聴を希望するシーンを含む分割番組コンテンツは検索キーワードが検出された箇所から開始され、この視聴を希望するシーンを含む分割番組コンテンツの時間的長さは一定となる。一般に、記録する番組において、検索キーワードが検出された箇所から一定時間内の番組内容は、検索キーワードに関連する内容が含まれていることが多いと考えられることから、コンテンツ記録装置の記録容量の利用効率を向上させながらも、高ビットレートで記録されている部分にユーザーが視聴したいシーンが含まれている確率を向上させることが可能となる。
【００９６】
【発明の効果】
この発明によれば、番組コンテンツにおいて、ユーザーが視聴を希望するシーンを含む分割番組コンテンツと、ユーザーが視聴を希望するシーンを含まない分割番組コンテンツとに区別し、これらのいずれかによって適切な記録方式を決定し、その記録方式の分割番組コンテンツを連結して１個の番組コンテンツに再構成するので、例えばユーザーが視聴を希望するシーンのみを比較的高ビットレートの高品位に記録するなどして、この番組コンテンツ全体のデータサイズを圧縮しながらコンテンツ記録装置の記録容量の利用効率を向上させることが可能となる。
【図面の簡単な説明】
【図１】この発明の実施の形態１に係るコンテンツ記録装置を示すブロック図である。
【図２】この発明の実施の形態１に係るコンテンツ記録装置のシーン変化点検出部から伝送されるシーン変化情報によって、記録信号生成部で番組コンテンツが分割される様子を説明する図である。
【図３】この発明の実施の形態１に係るコンテンツ記録装置で番組コンテンツを再構成する動作を説明するための図である。
【図４】この発明の実施の形態２に係るコンテンツ記録装置を示す図である。
【図５】この発明の実施の形態２に係るコンテンツ記録装置で番組コンテンツを再構成する動作を説明するための図である。
【図６】この発明の実施の形態３に係るコンテンツ記録装置を示すブロック図である。
【図７】この発明の実施の形態３に係るコンテンツ記録装置の分割タイミング信号生成部から伝送される分割タイミング信号によって、記録信号生成部で番組コンテンツが分割される様子を説明する図である。
【図８】この発明の実施の形態４に係るコンテンツ記録装置を示すブロック図である。
【図９】この発明の実施の形態４に係るコンテンツ記録装置の分割タイミング信号生成部から伝送される分割タイミング信号によって、記録信号生成部で番組コンテンツが分割される様子を説明する図である。
【符号の説明】
１  文字情報抽出部、２  検索キーワード入力部、３  検索キーワード検出部、４  シーン変化点検出部、５  記録信号生成部、６  バッファ、７  制御部、８  ビットレート変換部、９  コンテンツ再構成部、１０  ストレージ、１１  高ビットレート記録信号生成部、１２  低ビットレート記録信号生成部、１３，１４  バッファ、１５  コンテンツ再構成部、１６  分割タイミング信号生成部、１７  分割タイミング信号生成部、１００，１００ａ  番組コンテンツ、１０１〜１０９  分割番組コンテンツ、１１０ａ  番組コンテンツ、１１１〜１１６分割番組コンテンツ、１２０  番組コンテンツ、１２１〜１２３  分割番組コンテンツ、１３０  番組コンテンツ、１３１〜１３３  分割番組コンテンツ、Ｔａ〜Ｔｄ  シーン変化点。
【図１】
2004328125.tif 000003
【図２】
2004328125.tif 000004
【図３】
2004328125.tif 000005
【図４】
2004328125.tif 000006
【図５】
2004328125.tif 000007
【図６】
2004328125.tif 000008
【図７】
2004328125.tif 000009
【図８】
2004328125.tif 000010
【図９】
2004328125.tif 000011